Podtech/llm-jp-corpus-v4-ja_patent huggingface dataset:
【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
網を有し魚雷に絡み付いて爆発する機雷であって、 該機雷は網に取着され固着していており、 該網に備え付けられた機雷はスクリューを利用して網を開くき、該機雷は速度感知装置を内蔵し、該網は少なくともソナーを有し 
互いに引き合う磁力により連結されて収容空間を形成する複数のパーツを有し、前記収容空間に、
網を有し魚雷に絡み付いて爆発する機雷であって、 該機雷は網に取着され固着していており、該網に備え付けられた機雷はスクリューを利用して開く網を収容するケースと、
前記収容空間に前記網と、前記複数の機雷と、前記網に備え付けられた機雷はスクリューを利用して網を開くものを
収容した状態の前記ケースが水中に射出された後、前記複数のパーツを連結している磁力の極性を切り替えて、互いに反発し合う磁力により前記複数のパーツを分離させるスイッチとを備え、
前記ケースは、前記スイッチによる極性の切り替えに伴い、開いて、収容している前記網と、前記複数の機雷と、前記網に備え付けられた機雷はスクリューを利用して網を開くものを水中に解き放つ事を特徴とした魚雷防御システム。
【手続補正２】
【補正対象書類名】明細書
【補正対象項目名】００１８
【補正方法】変更
【補正の内容】
【００１８】
そして、本発明は、網と、前記網に取り付けられた複数の機雷と、前記網に取り付けられ、水の流れを生じ推進力を発生させる推進力発生手段と移動の方向を転換する方向転換手段とを有し水中を自由な方向に移動する複数の移動装置とを備える魚雷防御システムを提案する。又、網を有し魚雷に絡み付いて爆発する機雷であって、 該機雷は網に取着され固着していており、 該網に備え付けられた機雷はスクリューを利用して網を開くき、 該機雷は速度感知装置を内蔵し、  該複数の機雷が網に取着され固着しており、 
互いに引き合う磁力により連結されて収容空間を形成する複数のパーツを有し、前記収容空間に、網を有し魚雷に絡み付いて爆発する機雷であって、 該機雷は網に取着され固着していており、 該網に備え付けられた機雷はスクリューを利用して開く網を収容するケースと、前記収容空間に前記網と、前記複数の機雷と、前記網に備え付けられた機雷はスクリューを利用して網を開くものを収容した状態の前記ケースが水中に射出された後、前記複数のパーツを連結している磁力の極性を切り替えて、互いに反発し合う磁力により前記複数のパーツを分離させるスイッチとを備え、前記ケースは、前記スイッチによる極性の切り替えに伴い、開いて、収容している前記網と、前記複数の機雷と、前記網に備え付けられた機雷はスクリューを利用して網を開くものを水中に解き放つ魚雷防御システムを提案する。
【手続補正書】
【提出日】令和3年7月8日(2021.7.8)
【手続補正１】
【補正対象書類名】明細書
【補正対象項目名】００２６
【補正方法】変更
【補正の内容】
【００２６】
ガラス繊維の上市品の例としては、日本電気硝子（株）製、チョップドガラス繊維（ＥＣＳ０３Ｔ−７９０ＤＥ、平均繊維径：６μｍ）、オーウェンス  コーニング  ジャパン合同会社製、チョップドガラス繊維(ＣＳ０３ＤＥ ４１６Ａ、平均繊維径：６μｍ)、日本電気硝子（株）製、チョップドガラス繊維（ＥＣＳ０３Ｔ−７４７Ｈ、平均繊維径：１０．５μｍ）、日本電気硝子（株）製、チョップドガラス繊維（ＥＣＳ０３Ｔ−７４７、平均繊維径：１３μｍ）、日東紡績（株）製、異形断面チョップドストランド  ＣＳＧ  ３ＰＡ−８３０（長径２８μｍ、短径７μｍ）、日東紡績（株）製、異形断面チョップドストランド  ＣＳＧ  ３ＰＬ−９６２（長径２０μｍ、短径１０μｍ）等が挙げられる。
【手続補正２】
【補正対象書類名】明細書
【補正対象項目名】００３１
【補正方法】変更
【補正の内容】
【００３１】
本実施形態においては、以上の無機充填剤の中でも、ガラス繊維、ガラスビーズ、ガラスフレーク、炭酸カルシウム及びタルクからなる群より選ばれる１種又は２種以上であることが好ましい。また、機械的物性の向上の観点から、無機充填剤は、ＰＡＳ樹脂１００質量部に対して５〜２５０質量部含むことが好ましく、１５〜２００質量部含むことがより好ましく、２５〜１５０質量部含むことが更に好ましく、３０〜１１０質量部含むことが特に好ましい。
【手続補正３】
【補正対象書類名】明細書
【補正対象項目名】００４１
【補正方法】変更
【補正の内容】
【００４１】
（３）非導電性無機充填剤
・ガラス繊維：オーウェンス  コーニング  ジャパン合同会社製、チョップドストランド、繊維径：１０．５μｍ、長さ３ｍｍ
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
車両に搭載される車両用冷凍機器であって、
冷媒を圧縮するコンプレッサ（２１）と、前記コンプレッサから吐出される高圧冷媒から放熱させる第１熱交換器（２２）、前記第１熱交換器を通過した前記高圧冷媒を減圧する減圧器（２３、８２ａ）と、前記減圧器から流れる低圧冷媒が吸熱して前記低圧冷媒を蒸発させる第２熱交換器（２４）とを有する冷凍サイクル（２０）と
高圧保護部（８０、８０Ａ、Ｓ１３１、Ｓ１３２、Ｓ１４１）と、を備え、
前記冷凍サイクルは車室内に配置されており、
前記冷凍サイクルは、前記冷凍サイクルの停止時に、前記冷凍サイクル内の冷媒圧力が所定値以上になると前記冷凍サイクル内の前記冷媒を前記冷凍サイクルの外側に放出して前記冷凍サイクル内の前記冷媒圧力が異常高圧になることを抑えるリリーフ部（２５Ａ）を備え、
前記高圧保護部は、前記冷凍サイクルの運転時に、前記冷凍サイクル内に前記冷媒を維持した状態で前記高圧冷媒の圧力が異常高圧になることを抑え、
前記高圧保護部は、
前記冷凍サイクルのうち前記第１熱交換器の冷媒出口と前記第２熱交換器の冷媒入口との間に配置されている差圧弁（８０）を備え、
前記差圧弁は、前記第１熱交換器の冷媒出口に流れる前記高圧冷媒の圧力と前記第２熱交換器の冷媒入口に流れる前記低圧冷媒の圧力との差分の絶対値が閾値未満であるときには、前記第１熱交換器の冷媒出口と前記第２熱交換器の冷媒入口との間を閉じ、
前記差圧弁は、前記第１熱交換器の冷媒出口を流れる前記高圧冷媒の圧力と前記第２熱交換器の冷媒入口を流れる前記低圧冷媒の圧力との差分の絶対値が前記閾値以上になると、前記第１熱交換器の冷媒出口と前記第２熱交換器の冷媒入口との間を開けて、前記高圧冷媒の圧力が異常高圧になることを抑え、
前記差圧弁は、変位によって、前記第１熱交換器の冷媒出口と前記第２熱交換器の冷媒入口との間を開ける弁体（８２）を備え、
前記減圧器は、前記弁体に形成されて、かつ前記第１熱交換器を通過した前記高圧冷媒を通過させることにより前記高圧冷媒を減圧させる絞り通路（８２）であり、
前記弁体は、前記減圧器（８２ａ）とともに変位するように構成されている車両用冷凍機器。
【請求項２】
前記リリーフ部は、前記冷凍サイクルのうち前記減圧器の冷媒出口および前記コンプレッサの冷媒入口の間に配置されて前記低圧冷媒が流通する低圧機器（２５）に配置されている請求項１に記載の車両用冷凍機器。 
【請求項３】
前記低圧機器は、前記第２熱交換器を通過した前記低圧冷媒のうち液相冷媒と気相冷媒とを分離して、前記液相冷媒を貯めて前記気相冷媒を前記コンプレッサの冷媒入口に導くためのアキュムレータである請求項２に記載の車両用冷凍機器。 
【請求項４】
前記車室内に配置されて前記冷凍サイクルを収納するケーシング（１０）を備え、
前記リリーフ部は、前記冷凍サイクル内の前記冷媒を前記ケーシング内に放出する請求項１ないし３のいずれか１つに記載の車両用冷凍機器。
【手続補正２】
【補正対象書類名】明細書
【補正対象項目名】００１１
【補正方法】変更
【補正の内容】
【００１１】
上記目的を達成するため、請求項１に記載の発明では、
車両に搭載される車両用冷凍機器であって、
冷媒を圧縮するコンプレッサ（２１）と、コンプレッサから吐出される高圧冷媒から放熱させる第１熱交換器（２２）、第１熱交換器を通過した高圧冷媒を減圧する減圧器（２３、８２ａ）と、減圧器から流れる低圧冷媒が吸熱して低圧冷媒を蒸発させる第２熱交換器（２４）とを有する冷凍サイクル（２０）と
高圧保護部（８０、８０Ａ、Ｓ１３１、Ｓ１３２、Ｓ１４１）と、を備え、
冷凍サイクルは車室内に配置されており、
冷凍サイクルは、冷凍サイクルの停止時に、冷凍サイクル内の冷媒圧力が所定値以上になると冷凍サイクル内の冷媒を冷凍サイクルの外側に放出して冷凍サイクル内の冷媒圧力が異常高圧になることを抑えるリリーフ部（２５Ａ）を備え、
高圧保護部は、冷凍サイクルの運転時に、冷凍サイクル内に冷媒を維持した状態で高圧冷媒の圧力が異常高圧になることを抑え、
高圧保護部は、
冷凍サイクルのうち第１熱交換器の冷媒出口と第２熱交換器の冷媒入口との間に配置されている差圧弁（８０）を備え、
差圧弁は、第１熱交換器の冷媒出口に流れる高圧冷媒の圧力と第２熱交換器の冷媒入口に流れる低圧冷媒の圧力との差分の絶対値が閾値未満であるときには、第１熱交換器の冷媒出口と第２熱交換器の冷媒入口との間を閉じ、
差圧弁は、第１熱交換器の冷媒出口を流れる高圧冷媒の圧力と第２熱交換器の冷媒入口を流れる低圧冷媒の圧力との差分の絶対値が閾値以上になると、第１熱交換器の冷媒出口と第２熱交換器の冷媒入口との間を開けて、高圧冷媒の圧力が異常高圧になることを抑え、
差圧弁は、変位によって、第１熱交換器の冷媒出口と第２熱交換器の冷媒入口との間を開ける弁体（８２）を備え、
減圧器は、弁体に形成されて、かつ第１熱交換器を通過した高圧冷媒を通過させることにより高圧冷媒を減圧させる絞り通路（８２）であり、
弁体は、減圧器（８２ａ）とともに変位するように構成されている。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
Ｎｉ基合金からなる外皮内にフラックスが充填されているＮｉ基合金フラックス入りワイヤであり、
ワイヤ全質量あたり、
Ｎｉ：４５〜７５質量％、
Ｃｒ：２０質量％以下、
Ｍｏ：１０〜２０質量％、
Ｆｅ：１０．０質量％以下、
ＴｉＯ２：３〜１１質量％、
Ｃａ：０．０１〜２．０質量％、
Ｆ：１．０質量％以下（０％を含む）、及び
Ｎｂ：０．５質量％未満（０％を含む）
を含有するＮｉ基合金フラックス入りワイヤ。
【請求項２】
さらに、ワイヤ全質量あたり、
金属Ｔｉ、金属Ａｌ、金属Ｍｇからなる群より選ばれる少なくとも１種：合計０．０１〜１．０質量％
を含有し、
Ｃ：０．０５質量％以下（０％を含む）
に制限された、請求項１に記載のＮｉ基合金フラックス入りワイヤ。
【請求項３】
さらに、ワイヤ全質量あたり、
Ｓｉ：０．１〜１．５質量％、
Ａｌ２Ｏ３：１．０質量％以下（０％を含む）、
ＺｒＯ２：０．５〜３．０質量％、及び
Ｎａ、Ｋ、Ｌｉからなる群より選ばれる少なくとも１種：合計で０．１〜１．０質量％
を含有する、請求項１又は２に記載のＮｉ基合金フラックス入りワイヤ。
【請求項４】
さらに、ワイヤ全質量あたり、
Ｗ：１．０〜５．０質量％、及び
Ｍｎ：１．５〜５．５質量％
を含有する請求項１〜３のいずれか１項に記載のＮｉ基合金フラックス入りワイヤ。
【請求項５】
さらにワイヤ全質量あたり、
Ｂ：０．１０質量％以下（０％を含む）、
を含有し、
Ｖ：０．０３質量％以下（０％を含む）、
Ｐ：０．０１０質量％以下（０％を含む）、及び
Ｓ：０．０１０質量％以下（０％を含む）
に制限された、請求項１〜４のいずれか１項に記載のＮｉ基合金フラックス入りワイヤ。 
【手続補正２】
【補正対象書類名】明細書
【補正対象項目名】０００９
【補正方法】変更
【補正の内容】
【０００９】
即ち、本発明の一態様に係るフラックス入りワイヤは、Ｎｉ基合金からなる外皮内にフラックスが充填されているＮｉ基合金フラックス入りワイヤであり、ワイヤ全質量あたり、Ｎｉ：４５〜７５質量％、Ｃｒ：２０質量％以下、Ｍｏ：１０〜２０質量％、Ｆｅ：１０．０質量％以下、ＴｉＯ２：３〜１１質量％、Ｃａ：０．０１〜２．０質量％、Ｆ：１．０質量％以下（０％を含む）、及びＮｂ：０．５質量％未満（０％を含む）を含有する。
上記のＮｉ基合金フラックス入りワイヤは、さらに、ワイヤ全質量あたり、金属Ｔｉ、金属Ａｌ、金属Ｍｇからなる群より選ばれる少なくとも１種：合計０．０１〜１．０質量％を含有し、Ｃ：０．０５質量％以下（０％を含む）に制限されたＮｉ基合金フラックス入りワイヤであってもよい。
上記のＮｉ基合金フラックス入りワイヤは、さらに、ワイヤ全質量あたり、Ｓｉ：０．１〜１．５質量％、Ａｌ２Ｏ３：１．０質量％以下（０％を含む）、ＺｒＯ２：０．５〜３．０質量％、及びＮａ、Ｋ、Ｌｉからなる群より選ばれる少なくとも１種：合計で０．１〜１．０質量％を含有するＮｉ基合金フラックス入りワイヤであってもよい。
上記のＮｉ基合金フラックス入りワイヤは、さらに、ワイヤ全質量あたり、Ｗ：１．０〜５．０質量％、及びＭｎ：１．５〜５．５質量％を含有するＮｉ基合金フラックス入りワイヤであってもよい。
上記のＮｉ基合金フラックス入りワイヤは、さらにワイヤ全質量あたり、Ｂ：０．１０質量％以下（０％を含む）、を含有し、Ｖ：０．０３質量％以下（０％を含む）、Ｐ：０．０１０質量％以下（０％を含む）、及びＳ：０．０１０質量％以下（０％を含む）に制限された、Ｎｉ基合金フラックス入りワイヤであってもよい。
【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
ベッド装置の第１アクチュエータの軸の伸縮の第１変化量に基づいて、前記第１アクチュエータの前記軸の前記伸縮の速度を制御する制御部を備えた制御装置。
【請求項２】
前記第１アクチュエータは、第１可動部を動かすことができ、
前記第１アクチュエータの前記軸の前記伸縮の変化によって動いた前記第１可動部の第２変化量が所定のものである、請求項１記載の制御装置。
【請求項３】
第１可動部と、前記第１可動部を動かす第１アクチュエータと、を含むベッド装置の、前記第１アクチュエータの動きの第１変化量と、前記第１可動部の動きの第２変化量と、の関係に関する第１関係情報に基づいて前記第１アクチュエータを制御する制御部を備えた制御装置。
【請求項４】
前記制御部は、前記第１可動部の、動き始め及び動き終わりを除く期間における前記第１可動部の前記動きの第１速度が実質的に一定になるように、前記第１アクチュエータを制御する、請求項３記載の制御装置。
【請求項５】
前記第１関係情報を記憶する記憶部をさらに備えた、請求項３または４に記載の制御装置。
【請求項６】
前記第１アクチュエータは、伸縮し、
前記制御部は、前記第１アクチュエータの前記伸縮の状態に関する第１状態情報と、前記第１関係情報と、に基づいて、前記第１アクチュエータを制御する、請求項３〜５のいずれか１つに記載の制御装置。
【請求項７】
前記ベッド装置は、第２可動部及び第２アクチュエータをさらに含み、
前記第２アクチュエータは、前記第２可動部を動かすことが可能であり、
前記制御部は、前記第２アクチュエータを制御する、請求項３〜６のいずれか１つに記載の制御装置。
【請求項８】
前記制御部は、前記第２アクチュエータの前記動きの第３変化量と、前記第２可動部の動きの第４変化量と、の関係に関する第２関係情報に基づいて前記第２アクチュエータを制御する、請求項７記載の制御装置。
【請求項９】
前記制御部は、前記第２可動部、動き始め及び動き終わりを除く期間における前記第２可動部の前記動きの第２速度が実質的に一定になるように、前記第２アクチュエータを制御する、請求項７または８に記載の制御装置。
【請求項１０】
前記第２アクチュエータは、伸縮し、
前記制御部は、前記第２アクチュエータの前記伸縮の状態に関する第２状態情報と、前記第２関係情報と、に基づいて、前記第２アクチュエータを制御する、請求項７〜９のいずれか１つに記載の制御装置。
【請求項１１】
前記制御部は、前記第１可動部、動き始め及び動き終わりを除く期間における前記第１可動部の前記動きの第１速度が実質的に一定になるように、前記第１アクチュエータの前記動きを制御し、
前記第１速度は、前記第２速度と実質的に同じである、請求項９記載の制御装置。
【請求項１２】
請求項２〜１１のいずれか１つに記載の制御装置と、
前記第１可動部と、
前記第１アクチュエータと、
を備えた、ベッド装置。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
移動体を運転する運転者の動きを検知する検知ステップと、
前記運転者から第１の距離だけ離れていると該運転者に知覚させる第１の画像部分及び前記運転者から第２の距離だけ離れていると該運転者に知覚させる第２の画像部分を、前記検知ステップにより検知された前記運転者の動きに応じて、それぞれ移動させて表示する表示ステップと、を有し、
前記表示ステップは、前記第１の画像部分を移動させて表示するための第１の移動量と、前記第２の画像部分を移動させて表示するための第２の移動量とが異なることを特徴とする画像表示方法。
【請求項２】
請求項１に記載の画像表示方法において、
前記表示ステップは、前記第１の画像部分が前記第２の画像部分より下に表示される場合、前記第１の移動量は、前記第２の移動量より大きいことを特徴とする画像表示方法。
【請求項３】
請求項１又は２に記載の画像表示方法において、
前記検知ステップは、前記移動体に備え付けられた撮像装置により前記運転者の動きを検出することを特徴とする画像表示方法。
【請求項４】
請求項３に記載の画像表示方法において、
前記検知ステップは、前記撮像装置により撮影された運転者の頭部位置から前記運転者の目の位置を推定することを特徴とする画像表示方法。
【請求項５】
移動体を運転する運転者の動きを検出する検出部と、
前記運転者から第１の距離だけ離れていると該運転者に知覚させる第１の画像部分及び前記運転者から第２の距離だけ離れていると該運転者に知覚させる第２の画像部分を、前記検出部により検知された前記運転者の動きに応じて、それぞれ移動させて表示する表示部と、を備え、
前記表示部は、前記第１の画像部分を移動させて表示するための第１の移動量と、前記第２の画像部分を移動させて表示するための第２の移動量とが異なるように表示することを特徴とする画像表示装置。
【手続補正２】
【補正対象書類名】明細書
【補正対象項目名】発明の名称
【補正方法】変更
【補正の内容】
【発明の名称】画像表示方法及び画像表示装置
【手続補正３】
【補正対象書類名】明細書
【補正対象項目名】０００１
【補正方法】変更
【補正の内容】
【０００１】
本発明は、画像表示方法及び画像表示装置に関するものである。
【手続補正４】
【補正対象書類名】明細書
【補正対象項目名】０００２
【補正方法】変更
【補正の内容】
【０００２】
この種の画像表示装置としては、運転者を乗せて移動する車両、船舶、航空機、産業用ロボットなどの移動体の運転者に対して情報を提供するための画像を表示するヘッドアップディスプレイ（ＨＵＤ）装置等を利用したものが知られている。
【手続補正５】
【補正対象書類名】明細書
【補正対象項目名】０００４
【補正方法】変更
【補正の内容】
【０００４】
しかしながら、特許文献１には、同じ距離に表示される虚像上の画像部分を、異なる距離に表示されているかのように運転者に知覚させて、虚像の奥行き感を出すことについての言及はない。
【手続補正６】
【補正対象書類名】明細書
【補正対象項目名】０００５
【補正方法】変更
【補正の内容】
【０００５】
上述した課題を解決するために、本発明は、画像表示方法であって、移動体を運転する運転者の動きを検知する検知ステップと、前記運転者から第１の距離だけ離れていると該運転者に知覚させる第１の画像部分及び前記運転者から第２の距離だけ離れていると該運転者に知覚させる第２の画像部分を、前記検知ステップにより検知された前記運転者の動きに応じて、それぞれ移動させて表示する表示ステップと、を有し、前記表示ステップは、前記第１の画像部分を移動させて表示するための第１の移動量と、前記第２の画像部分を移動させて表示するための第２の移動量とが異なることを特徴とする。
【手続補正７】
【補正対象書類名】明細書
【補正対象項目名】０００６
【補正方法】変更
【補正の内容】
【０００６】
本発明によれば、同じ距離に表示される虚像上の画像部分を、異なる距離に表示されているかのように運転者に知覚させて、虚像の奥行き感を出すことができるという優れた効果が奏される。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００４
【補正方法】変更
【補正の内容】
【０００４】
しかしながら、上述した従来の遊技機では、電気配線の配置の観点で改善の余地があるという問題点があった。本発明は、上記例示した問題点を解決するためになされたものであり、電気配線の配置を改善することができる遊技機を提供することを目的とする。
【手続補正４】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続される。
【手続補正５】
【補正対象書類名】明細書
【補正対象項目名】０００８
【補正方法】変更
【補正の内容】
【０００８】
請求項１記載の遊技機によれば、電気配線の配置を改善することができる。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
遊技の進行に係る制御を実行可能な主制御手段を備えた遊技機において、
前記主制御手段には、
主制御装置と、
前記主制御装置が実行するプログラムが記憶された第１記憶手段と、
前記第１記憶手段に記憶されたプログラムの実行にもとづく情報を記憶する第２記憶手段と、
前記第２記憶手段に記憶された情報を初期化可能な初期化手段と、
遊技ゲームの進行とは異なる遊技の出玉に関する情報を表示する表示手段と、
前記表示手段を駆動するための駆動手段と、
を備え、
前記プログラムには、遊技ゲームの進行に関する制御を実行するための処理と遊技の出玉に関する情報を計数する処理とを含み、
遊技ゲームの進行に関する制御を実行するための処理は、前記第１記憶手段の第１の領域に記憶され、
遊技の出玉に関する情報を計数する処理は、前記第１記憶手段の第１の領域とは異なる第２の領域に記憶され、
前記第２記憶手段は、第１の情報記憶領域と、第１の情報記憶領域とは異なる第２の情報記憶領域を備え、
前記初期化手段は、第１の情報記憶領域を初期化する第１初期化手段と、第２の情報記憶領域を初期化する第２初期化手段とを含み、
所定条件が成立した場合に、前記第１初期化手段により前記第１の情報記憶領域を初期化するものの、前記第２の情報記憶領域については初期化することなく、前記所定条件とは異なる特定条件が成立した場合に、前記第２初期化手段により前記第２の情報記憶領域を初期化するものの、前記第１の情報記憶領域については初期化せず、
前記第２の情報記憶領域には、前記表示手段に遊技の出玉に関する情報を表示するための情報が記憶されているものの、前記第１の領域に記憶された遊技ゲームの進行に関する処理の実行による情報は記憶せず、
前記主制御装置と前記表示手段と前記駆動手段とは、前記主制御手段の同一平面上に配置されているものの、それぞれが、重複することなく離間した位置に配置され、
前記主制御装置と前記駆動手段とは第１配線手段により電気的に接続されるとともに、前記駆動手段と前記表示手段とは第２配線手段により電気的に接続され、
前記第２配線手段の配線長は、前記第１配線手段の配線長より長い
ことを特徴とする遊技機。
【手続補正２】
【補正対象書類名】明細書
【補正対象項目名】０００４
【補正方法】変更
【補正の内容】
【０００４】
このような遊技機では、通常の遊技状態で得られる遊技価値（賞球、賞メダル）が小さく、役物動作中（大入賞口開放中、始動入賞口動作中、ボーナスゲーム中など）に得られる遊技価値が大きい場合、大量の遊技価値が得られる機会が多くなり、遊技によって得られる遊技価値の変化が大きく、射幸性が高くなる。このため、遊技者ののめり込みを防止するため、稼働中の遊技機の正確な出玉率を確認することが求められている。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本明細書に開示される発明の一例は以下の通りである。すなわち、遊技の進行に係る制御を実行可能な主制御手段を備えた遊技機において、前記主制御手段には、主制御装置と、前記主制御装置が実行するプログラムが記憶された第１記憶手段と、前記第１記憶手段に記憶されたプログラムの実行にもとづく情報を記憶する第２記憶手段と、前記第２記憶手段に記憶された情報を初期化可能な初期化手段と、遊技ゲームの進行とは異なる遊技の出玉に関する情報を表示する表示手段と、前記表示手段を駆動するための駆動手段と、を備え、前記プログラムには、遊技ゲームの進行に関する制御を実行するための処理と遊技の出玉に関する情報を計数する処理とを含み、遊技ゲームの進行に関する制御を実行するための処理は、前記第１記憶手段の第１の領域に記憶され、遊技の出玉に関する情報を計数する処理は、前記第１記憶手段の第１の領域とは異なる第２の領域に記憶され、前記第２記憶手段は、第１の情報記憶領域と、第１の情報記憶領域とは異なる第２の情報記憶領域を備え、前記初期化手段は、第１の情報記憶領域を初期化する第１初期化手段と、第２の情報記憶領域を初期化する第２初期化手段とを含み、所定条件が成立した場合に、前記第１初期化手段により前記第１の情報記憶領域を初期化するものの、前記第２の情報記憶領域については初期化することなく、前記所定条件とは異なる特定条件が成立した場合に、前記第２初期化手段により前記第２の情報記憶領域を初期化するものの、前記第１の情報記憶領域については初期化せず、前記第２の情報記憶領域には、前記表示手段に遊技の出玉に関する情報を表示するための情報が記憶されているものの、前記第１の領域に記憶された遊技ゲームの進行に関する処理の実行による情報は記憶せず、前記主制御装置（ＣＰＵ）と前記表示手段と前記駆動手段とは、前記主制御手段（主基板）の同一平面上に配置されているものの、それぞれが、重複することなく離間した位置に配置され、前記主制御装置と前記駆動手段とは第１配線手段により電気的に接続されるとともに、前記駆動手段と前記表示手段とは第２配線手段により電気的に接続され、前記第２配線手段の配線長は、前記第１配線手段の配線長より長いことを特徴とする。
【手続補正９】
【補正対象書類名】明細書
【補正対象項目名】００１１
【補正方法】変更
【補正の内容】
【００１１】
本発明の一形態によれば、稼働中の遊技機の正確な出玉率を確認することができる。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
遊技者の動作を検出可能な検出手段と、
遊技者の動作を促すための促進報知を実行可能な促進報知手段と、
前記検出手段により遊技者の動作が検出されたことに基づいて所定演出を実行可能な演出実行手段と、
前記検出手段による検出が有効である有効期間を示す有効期間報知を行う有効期間報知手段と、
前記有効期間が終了したときに、前記有効期間の終了を示す終了報知を行う終了報知手段と、を備え、
前記有効期間報知手段は、有効期間報知として、前記有効期間が満了するまでの残存期間を示す残存有効期間画像を表示可能であり、
前記終了報知手段は、終了報知として、前記有効期間が満了したときに前記残存有効期間画像を前記有効期間の終了を示す有効期間終了画像に更新して表示可能であるとともに、前記有効期間が満了するまでの間に前記検出手段により検出がなされたときに前記有効期間終了画像を表示可能であり、
前記所定演出が実行されるときに、該所定演出に係る演出画像と、前記有効期間終了画像とは、並行して表示される、
ことを特徴とする遊技機。
【手続補正２】
【補正対象書類名】明細書
【補正対象項目名】００１２
【補正方法】変更
【補正の内容】
【００１２】
（Ａ）本発明による遊技機は、
遊技者の動作を検出可能な検出手段と、
遊技者の動作を促すための促進報知を実行可能な促進報知手段と、
前記検出手段により遊技者の動作が検出されたことに基づいて所定演出を実行可能な演出実行手段と、
前記検出手段による検出が有効である有効期間を示す有効期間報知を行う有効期間報知手段と、
前記有効期間が終了したときに、前記有効期間の終了を示す終了報知を行う終了報知手段とを備え、
前記有効期間報知手段は、有効期間報知として、前記有効期間が満了するまでの残存期間を示す残存有効期間画像を表示可能であり、
前記終了報知手段は、終了報知として、前記有効期間が満了したときに前記残存有効期間画像を前記有効期間の終了を示す有効期間終了画像に更新して表示可能であるとともに、前記有効期間が満了するまでの間に前記検出手段により検出がなされたときに前記有効期間終了画像を表示可能であり、
前記所定演出が実行されるときに、該所定演出に係る演出画像と、前記有効期間終了画像とは、並行して表示される、
ことを特徴とする。
（１）他の遊技機（例えばパチンコ遊技機１など）は、遊技者の動作を検出可能な動作検出手段（例えば、スティックコントローラ１２２、プッシュボタン１２０、タッチセンサ、赤外線センサなど）と、遊技者の動作を促すための促進報知（例えば、第１操作促進画像や第２操作促進画像を表示する操作促進報知など）を実行可能な促進報知手段（例えば、演出制御用マイクロコンピュータ１００がステップＳ８１１１、Ｓ８１２５、Ｓ８１３９、Ｓ８１５３、Ｓ８１６７を実行する部分など）と、前記動作検出手段により遊技者の動作が検出されたことに基づいて所定演出（例えば、各ボタン演出や各スティックコントローラ演出など）を実行可能な演出実行手段（例えば、遊技制御用マイクロコンピュータ１００がステップＳ８１１４、Ｓ８１２８、Ｓ８１４２、Ｓ８１５６、Ｓ８１７０を実行する部分など）と、特定画像を表示する特定画像表示制御手段（例えば、遊技制御用マイクロコンピュータ１００がステップＳ８４４Ｃを実行する部分など）と、を備え、前記促進報知手段は、一の動作（例えば、プッシュボタン１２０やスティックコントローラ１２２、プッシュボタン１２０、タッチセンサ、赤外線センサに対する１回の操作、連打などの複数回の操作、および長押しなどの連続的な操作のいずれかなど）を促すための促進報知を、少なくとも第１促進画像（例えば、プッシュボタン１２０やスティックコントローラ１２２の外観を模した第１操作促進画像など）を表示する第１パターンと、第１促進画像に加えて第２促進画像（例えば、所定の文字を示す第２操作促進画像など）を表示する第２パターンと、により実行可能であり（例えば図３２〜図３４、図４６〜図５２等参照）、前記第１パターンと前記第２パターンとのいずれにより促進報知が実行されたかに応じて期待度（例えば、第１パターンにより操作促進報知が行われる当否煽り時ボタン演出の第１演出態様と、第２パターンにより操作促進報知が行われる当否煽り時ボタン演出の第２演出態様および第３演出態様との期待度や、当否煽り時スティックコントローラ演出の第１演出態様と、第２パターンにより操作促進報知が行われる当否煽り時スティックコントローラ演出の第２演出態様および第３演出態様の期待度など）が異なり、前記促進報知が実行されるよりも前（例えば、第２所定時間に実行される操作演出よりも前の第１所定時間など）に、前記特定画像として前記促進報知において表示される前記第１促進画像または前記第２促進画像と同一又は類似の形状の画像（例えば、スティックコントローラ１２２(図１)を模した図５２に示すようなリーチ成立時類似画像（スッティクコントローラ１２２と同一又は類似の形状の画像）、プッシュボタン１２０を表す画像、タッチセンサを表す画像、赤外線センサを表す画像など）を、前記促進報知において表示される前記第１促進画像または前記第２促進画像の表示位置と同じ位置又は近傍の位置に表示することを特徴とする遊技機。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
遊技を行う遊技機であって、
所定表示の演出態様を段階的に変化させる所定演出を実行可能な所定演出実行手段と、
前記所定表示が特定段階まで変化したときに特定演出を実行可能な特定演出実行手段と、
前記特定演出が実行されることを示唆する示唆演出を実行可能な示唆演出実行手段と、
を備え、
前記所定演出実行手段は、
前記所定演出を、複数の異なる変化態様により実行可能であり、
いずれの変化態様により前記所定演出を実行する場合にも、共通の変化態様により前記所定表示の演出態様を前記特定段階よりも低い所定段階まで変化させることが可能であり、
前記所定表示の演出態様を前記特定段階まで変化させる第１パターンと、前記所定表示の演出態様を前記特定段階まで変化させない第２パターンとで、前記所定演出を実行可能であり、
前記第１パターンと前記第２パターンのいずれで前記所定演出を実行する場合でも、前記所定表示の演出態様を前記所定段階よりも高く前記特定段階よりも低い特別段階まで変化可能であり、
前記示唆演出が実行されているときに、前記所定演出を実行可能であり、
前記第１パターンで前記所定演出を実行するときに前記所定表示の演出態様を前記所定段階から前記特別段階まで変化させる変化態様は、前記第２パターンで前記所定演出を実行するときに前記所定表示の演出態様を前記所定段階から前記特別段階まで変化させる変化態様に含まれない変化態様を含む、
ことを特徴とする遊技機。
【手続補正２】
【補正対象書類名】明細書
【補正対象項目名】０００６
【補正方法】変更
【補正の内容】
【０００６】
（Ａ）本願発明の遊技機は、
遊技を行う遊技機であって、
所定表示の演出態様を段階的に変化させる所定演出を実行可能な所定演出実行手段と、
前記所定表示が特定段階まで変化したときに特定演出を実行可能な特定演出実行手段と、
前記特定演出が実行されることを示唆する示唆演出を実行可能な示唆演出実行手段と、
を備え、
前記所定演出実行手段は、
前記所定演出を、複数の異なる変化態様により実行可能であり、
いずれの変化態様により前記所定演出を実行する場合にも、共通の変化態様により前記所定表示の演出態様を前記特定段階よりも低い所定段階まで変化させることが可能であり、
前記所定表示の演出態様を前記特定段階まで変化させる第１パターンと、前記所定表示の演出態様を前記特定段階まで変化させない第２パターンとで、前記所定演出を実行可能であり、
前記第１パターンと前記第２パターンのいずれで前記所定演出を実行する場合でも、前記所定表示の演出態様を前記所定段階よりも高く前記特定段階よりも低い特別段階まで変化可能であり、
前記示唆演出が実行されているときに、前記所定演出を実行可能であり、
前記第１パターンで前記所定演出を実行するときに前記所定表示の演出態様を前記所定段階から前記特別段階まで変化させる変化態様は、前記第２パターンで前記所定演出を実行するときに前記所定表示の演出態様を前記所定段階から前記特別段階まで変化させる変化態様に含まれない変化態様を含む、
ことを特徴とする。
（１）他の遊技機は、遊技を行う遊技機（例えば、第１〜第３の実施形態におけるパチンコ遊技機１等）であって、特定演出（例えば、スーパーリーチβやスーパーリーチα等）を実行する特定演出実行手段（例えば、変動パターンに基づいて、画像表示装置５の表示領域においてスーパーリーチβやスーパーリーチαを実行させる演出制御用ＣＰＵ１２０等）と、前記特定演出が行われる前に演出態様（例えば、メータ予告演出における各ランプ画像を用いた演出態様等）を変化（例えば、ランプ画像の点灯表示数を変化等）させることが可能な態様変化実行手段（例えば、画像表示装置５の表示領域に複数のランプ画像を含むメータ画像を表示し、各ランプ画像を左端のランプ画像から順に所定のタイミングで点灯表示させる演出制御用ＣＰＵ１２０等）とを備え、前記態様変化実行手段は、前記特定演出として第１特定演出（例えば、スーパーリーチβ等）が行われる場合には前記演出態様を特定態様（例えば、全ランプ画像を点灯表示等）に変化させ、前記特定演出として第２特定演出（例えば、スーパーリーチα等）が行われる場合には前記演出態様を特定態様に変化させず、前記演出態様の変化態様を異ならせることが可能であり（例えば、各ランプ画像を点灯表示させるタイミングを異ならせること等が可能であり）、いずれの変化態様の場合にも、共通の変化態様により前記演出態様の変化を開始する（例えば、図３１に示すように、メータ予告演出では、いずれのメータ予告パターンであっても開始から２秒経過するまでは共通の変化態様により演出態様が変化する）。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
被写体に対して放射線をパルス照射又は連続照射する動態撮影を行うことで得られた第１の動態画像に解析を施して第１の解析結果画像を生成し、前記被写体に対して前記第１の動態画像とは経時的に異なる時点で動態撮影を行うことで得られた第２の動態画像に解析を施して第２の解析結果画像を生成する解析手段と、
前記第１の動態画像に関する画像特徴の情報に基づいて、前記第１の解析結果画像と前記第２の解析結果画像とを比較表示する際の前記第２の解析結果画像のフレーム画像を決定する決定手段と、
を備えることを特徴とする動態画像処理装置。
【請求項２】
前記第１の解析結果画像と前記第２の解析結果画像は、換気に関する解析結果画像及び肺血流に関する解析結果画像の少なくとも１つであることを特徴とする請求項１に記載動態画像処理装置。
【請求項３】
前記第１の動態画像に関する画像特徴の情報は、前記第１の動態画像に含まれる第１の動態画像のフレーム画像に関する特徴の情報であり、
前記第１の動態画像のフレーム画像に関する前記第１の解析結果画像と、前記第２の解析結果画像とを比較表示する表示制御部を備えることを特徴とする請求項１又は請求項２に記載の動態画像処理装置。
【請求項４】
前記表示制御部は、前記第１の解析結果画像と前記第２の解析結果画像とを並べて動画再生することを特徴とする請求項３に記載の動態画像処理装置。
【請求項５】
前記第１の解析結果画像は、複数フレームを有し、
前記第２の解析結果画像は、複数フレームを有し、
前記解析手段は、前記第１の解析結果画像の複数フレームに基づき第３の解析結果画像フレームを生成し、前記第２の解析結果画像の複数フレームに基づき第４の解析結果画像フレームを生成することを特徴とする請求項１〜請求項３のいずれか一項に記載の動態画像処理装置。
【請求項６】
前記第３の解析結果画像フレームは、前記第１の解析結果画像における時間軸方向の代表値に基づいて生成されたフレームであり、且つ、前記第４の解析結果画像フレームは、前記第２の解析結果画像における時間軸方向の代表値に基づいて生成されたフレームであることを特徴とする請求項５に記載の動態画像処理装置。
【請求項７】
コンピューターに、
被写体に対して放射線をパルス照射又は連続照射する動態撮影を行うことで得られた第１の動態画像に解析を施して第１の解析結果画像を生成し、前記被写体に対して前記第１の動態画像とは経時的に異なる時点で動態撮影を行うことで得られた第２の動態画像に解析を施して第２の解析結果画像を生成する処理と、
前記第１の動態画像に関する画像特徴の情報に基づいて、前記第１の解析結果画像と前記第２の解析結果画像とを比較表示する際の前記第２の解析結果画像のフレーム画像を決定する処理と、
を実行させることを特徴とする動態画像処理プログラム。
【請求項８】
被写体に対して放射線をパルス照射又は連続照射する動態撮影を行うことで得られた第１の動態画像に解析を施して第１の解析結果画像を生成し、前記被写体に対して前記第１の動態画像とは経時的に異なる時点で動態撮影を行うことで得られた第２の動態画像に解析を施して第２の解析結果画像を生成する工程と、
前記第１の動態画像に関する画像特徴の情報に基づいて、前記第１の解析結果画像と前記第２の解析結果画像とを比較表示する際の前記第２の解析結果画像のフレーム画像を決定する工程と、
を備えることを特徴とする動態画像処理方法。
【手続補正２】
【補正対象書類名】明細書
【補正対象項目名】発明の名称
【補正方法】変更
【補正の内容】
【発明の名称】動態画像処理装置、動態画像処理プログラム及び動態画像処理方法
【手続補正３】
【補正対象書類名】明細書
【補正対象項目名】０００１
【補正方法】変更
【補正の内容】
【０００１】
本発明は、動態画像処理装置、動態画像処理プログラム及び動態画像処理方法に関する。
【手続補正４】
【補正対象書類名】明細書
【補正対象項目名】０００８
【補正方法】変更
【補正の内容】
【０００８】
上記課題を解決するため、本発明の動態画像処理装置は、
被写体に対して放射線をパルス照射又は連続照射する動態撮影を行うことで得られた第１の動態画像に解析を施して第１の解析結果画像を生成し、前記被写体に対して前記第１の動態画像とは経時的に異なる時点で動態撮影を行うことで得られた第２の動態画像に解析を施して第２の解析結果画像を生成する解析手段と、
前記第１の動態画像に関する画像特徴の情報に基づいて、前記第１の解析結果画像と前記第２の解析結果画像とを比較表示する際の前記第２の解析結果画像のフレーム画像を決定する決定手段と、
を備えることを特徴とする。
【手続補正５】
【補正対象書類名】明細書
【補正対象項目名】０００９
【補正方法】変更
【補正の内容】
【０００９】
また、本発明の動態画像処理プログラムは、
コンピューターに、
被写体に対して放射線をパルス照射又は連続照射する動態撮影を行うことで得られた第１の動態画像に解析を施して第１の解析結果画像を生成し、前記被写体に対して前記第１の動態画像とは経時的に異なる時点で動態撮影を行うことで得られた第２の動態画像に解析を施して第２の解析結果画像を生成する処理と、
前記第１の動態画像に関する画像特徴の情報に基づいて、前記第１の解析結果画像と前記第２の解析結果画像とを比較表示する際の前記第２の解析結果画像のフレーム画像を決定する処理と、
を実行させることを特徴とする。
【手続補正６】
【補正対象書類名】明細書
【補正対象項目名】００１０
【補正方法】変更
【補正の内容】
【００１０】
また、本発明の動態画像処理方法は、
被写体に対して放射線をパルス照射又は連続照射する動態撮影を行うことで得られた第１の動態画像に解析を施して第１の解析結果画像を生成し、前記被写体に対して前記第１の動態画像とは経時的に異なる時点で動態撮影を行うことで得られた第２の動態画像に解析を施して第２の解析結果画像を生成する工程と、
前記第１の動態画像に関する画像特徴の情報に基づいて、前記第１の解析結果画像と前記第２の解析結果画像とを比較表示する際の前記第２の解析結果画像のフレーム画像を決定する工程と、
を備えることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
所定の始動条件が成立することに基づいて図柄の変動表示を行い、該図柄の変動表示の結果に基づいて遊技者に利益を付与する遊技機において、
所定の遊技領域が形成される遊技盤と、
前記遊技盤において所定の発光部が前面に設けられる発光基板と、
当該遊技機の裏面側の少なくとも一部に設けられ、前記発光基板の光を透光しうるように位置する透光部と、を備え、
前記発光部は、図柄が変動表示しているときと、図柄が変動表示していないときの何れにおいても発光可能であり、
前記発光基板には、複数の孔部が形成され、該複数の孔部から前記発光部の光が漏光しうるものであり、
さらに、前記複数の孔部から前記発光部の光が漏光しうることとなる前記発光基板は、複数設けられる
ことを特徴とする遊技機。
【手続補正２】
【補正対象書類名】明細書
【補正対象項目名】０００２
【補正方法】変更
【補正の内容】
【０００２】
従来の遊技機は、遊技ホールに設けられる島設備に設置されるのが一般であり、具体的には、島設備の片面側に複数の遊技機が列を成して並ぶように設置されたり、島設備の両面側に複数の遊技機が列を成して並ぶように設置されることが知られている（例えば、特許文献１参照）。
【手続補正３】
【補正対象書類名】明細書
【補正対象項目名】０００３
【補正方法】変更
【補正の内容】
【０００３】
【特許文献１】特開２０１４−１４７５４５号公報
【手続補正４】
【補正対象書類名】明細書
【補正対象項目名】０００４
【補正方法】変更
【補正の内容】
【０００４】
しかしながら、従来の遊技機は、その裏面側に十分な工夫が施されておらず、利便性に改善の余地があった。
【手続補正５】
【補正対象書類名】明細書
【補正対象項目名】０００５
【補正方法】変更
【補正の内容】
【０００５】
本発明は、このような事情に鑑みてなされたものであり、裏面側を新たな態様にした遊技機を提供することを目的とする。
【手続補正６】
【補正対象書類名】明細書
【補正対象項目名】０００７
【補正方法】変更
【補正の内容】
【０００７】
本発明は、
所定の始動条件が成立することに基づいて図柄の変動表示を行い、該図柄の変動表示の結果に基づいて遊技者に利益を付与する遊技機において、
所定の遊技領域が形成される遊技盤と、
前記遊技盤において所定の発光部が前面に設けられる発光基板と、
当該遊技機の裏面側の少なくとも一部に設けられ、前記発光基板の光を透光しうるように位置する透光部と、を備え、
前記発光部は、図柄が変動表示しているときと、図柄が変動表示していないときの何れにおいても発光可能であり、
前記発光基板には、複数の孔部が形成され、該複数の孔部から前記発光部の光が漏光しうるものであり、
さらに、前記複数の孔部から前記発光部の光が漏光しうることとなる前記発光基板は、複数設けられる
ことを特徴とする。
【手続補正７】
【補正対象書類名】明細書
【補正対象項目名】０００８
【補正方法】変更
【補正の内容】
【０００８】
本発明の遊技機においては、裏面側を新たな態様にして利便性を高めることができる。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
複数種類の薬剤を種類毎に仕分ける薬剤仕分装置であって、
前記複数種類の薬剤を収容する第１収容部と、
前記第１収容部から前記薬剤を搬送する搬送部と、
前記薬剤を撮像する撮像部と、
前記撮像部によって撮像された画像に基づき、前記薬剤の種類を判別する判別部と、
前記判別部による判別結果に基づき、前記薬剤を種類毎に仕分ける仕分部と、
前記仕分部が仕分けた薬剤を、種類毎に仕分けられた状態で収容する第２収容部と、
を備え、
前記判別部が判別した薬剤の種類を、前記薬剤仕分装置とは異なる分包機が実装している薬剤データと照合した結果に基づき、前記仕分部が仕分けた薬剤の返却先を決定する、薬剤仕分装置。
【請求項２】
請求項１に記載の薬剤仕分装置と、
前記仕分部が仕分けた薬剤を、返却先へと返却するための返却補助装置であって、
前記仕分部が仕分けた薬剤に関する薬剤データ及び返却先情報が印字されたジャーナルから、前記薬剤データ及び返却先情報を読取る読取部と、
前記読取部が読取った薬剤データ及び返却先情報を表示する表示部と、を備える返却補助装置と、
を備える、薬剤返却システム。
【手続補正２】
【補正対象書類名】明細書
【補正対象項目名】発明の名称
【補正方法】変更
【補正の内容】
【発明の名称】薬剤仕分装置及び薬剤返却システム
【手続補正書】
【提出日】令和3年2月9日(2021.2.9)
【手続補正１】
【補正対象書類名】特許請求の範囲
【補正対象項目名】請求項１
【補正方法】変更
【補正の内容】
【請求項１】
予め定められた取得条件が成立したことに基づいて特別情報を取得する情報取得手段と、
前記情報取得手段の取得した特別情報を記憶する取得情報記憶手段と、
前記取得情報記憶手段に記憶されている特別情報が付与情報に対応しているか否かの付与判定を行う付与判定手段と、
前記付与判定手段による付与判定の結果に基づいて遊技を進行させる処理を行う遊技制御手段と、
可聴音を出力する音出力手段と、
遊技の進行に伴って前記音出力手段を制御する音制御手段と、
前記音出力手段の音量を調節する音量調節手段と、
遊技者の操作により待機位置から検知位置へ変位する操作ボタンと
を備え、
前記音量調節手段は、
遊技が進行している状況下にて前記操作ボタンが操作される度に、現在出力中の演出音の音量を１段階ずつ変更する第１変更手段と、
前記第１変更手段によって音量が変更される度に、前記操作が受け付けられた旨を遊技者に報せる手段と、
遊技が進行していない状況下にて前記操作ボタンが操作される度に、後の遊技の進行に際して出力される各演出音の音量を１段階ずつ変更する第２変更手段と、
前記第２変更手段によって音量が変更される度に、前記操作が受け付けられた旨を遊技者に報せる手段と
を有していることを特徴とする遊技機。
【手続補正２】
【補正対象書類名】明細書
【補正対象項目名】０００８
【補正方法】変更
【補正の内容】
【０００８】
本発明は、
予め定められた取得条件が成立したことに基づいて特別情報を取得する情報取得手段と、
前記情報取得手段の取得した特別情報を記憶する取得情報記憶手段と、
前記取得情報記憶手段に記憶されている特別情報が付与情報に対応しているか否かの付与判定を行う付与判定手段と、
前記付与判定手段による付与判定の結果に基づいて遊技を進行させる処理を行う遊技制御手段と、
可聴音を出力する音出力手段と、
遊技の進行に伴って前記音出力手段を制御する音制御手段と、
前記音出力手段の音量を調節する音量調節手段と、
遊技者の操作により待機位置から検知位置へ変位する操作ボタンと
を備え、
前記音量調節手段は、
遊技が進行している状況下にて前記操作ボタンが操作される度に、現在出力中の演出音の音量を１段階ずつ変更する第１変更手段と、
前記第１変更手段によって音量が変更される度に、前記操作が受け付けられた旨を遊技者に報せる手段と、
遊技が進行していない状況下にて前記操作ボタンが操作される度に、後の遊技の進行に際して出力される各演出音の音量を１段階ずつ変更する第２変更手段と、
前記第２変更手段によって音量が変更される度に、前記操作が受け付けられた旨を遊技者に報せる手段と
を有していることを特徴とする。